(57)【要約】      （修正有）【課題】特段、何人の良心云々が表れる程の（よもや、金額などでは計り知れない程の）かけがえのないもの（良き思い出の・・）などをいみじくも、半永久的に保存し得るような（装飾液体入りガラス容器付の）美しい宝飾品（遺品）類を普く実用化させる。【解決手段】諸人が、なお感動的な場面に出会う際、善良なる素直な気持ちで、自ずと流れる各人の嬉し涙（の一滴々々）を予め、（持ち運び可能な携帯用涙採取キット等で）採取しつつ、順次、それを殺菌処理の上、非尋常的にも有効的な接合方法（常温接合処理等）でもって、極力、劣化しないよう、完全密封したクリスタル・ガラス瓶等に、事前に（プチ・スノーグローブ風の混合液として）注入しつつ、尚且つ、独特形状の（無色透明又は半透明色の宝石を含めた複合）宝飾品類の内部などに嵌め込みながら（ちりばめながら）、是を長期保存し得るようにすればよい。【選択図】図１
2018016065.tif 000002
【特許請求の範囲】
【請求項１】
先ず、小サイズのスノーグローブ（スノードーム）風の（無色透明或いは半透明色の）プチ・サファイア又はクリスタル・ガラスドームの底面（平面）部と同小型ドームの貫通しない中央穴部（小穴）を塞ぐ蓋類の役目をするチタン板（その中心部・同上ガラスとの非接触部に極小穴の空いた軽貴金属板）の表面の粗さを所定の範囲内で精密研磨の上、各材を真空中で表面処理を施すことなどにより、適度に常温接合させ、順次、その出来上がったガラス容器の（水に濡れても錆びない貴金属製の）蓋類の小穴の方へ、予め、（持ち運び可能な）携帯用スポイトや（後々、絞り出し可能な）脱脂綿等の涙採取キットを使用して採取した何人の嬉し涙（もらい泣きのものなども含む）の一滴々々を殺菌処理の上、概ね、スノーグローブ用の（ゴールド・ラメ入り等の）装飾・宝飾用液体などと混合させながら、さしたるスポイトやマイクロピペット等で注入した後、同金属板の極小穴部を（レーザー）スポット溶接等で完全密封しては、その稀少な涙液等入りのガラス玉風のものをちょうど、上方からカバーする様に、特段、底面部の一部分がやや丸め状等に凹んだペアシェイプ（ティアードロップ）カット等の無色透明又は半透明色の宝石（主に大粒）で、当の凹み部に充てがう様に被いながら、より麗しく配したつつ、尚且つ、同上宝石類が外れないよう、所定の台座等をもって、確と石留めなど効果的に施した多層・多重（２重）複合構造からなる、涙液入れ用ガラス容器付宝飾品類一式。
【請求項２】
前項に於ける（石英）ガラスと金属の接合処理につき、別段、超音波シール等の接合方法を採用したり、さしたる金属を改め、（概ね肉厚が分厚めの）ガラス同士を接合させる光学溶着もしくは、局部的な熱処理による溶封などの工程処理を施した（主に単層又は複層構造の）本宝石品類一式。                  
【請求項３】
請求項１等のガラスと金属との接着につき、別途、耐水性のよいエポキシ系等の接着剤使用の場合、できる限り、接着面を水に浸すことがないよう、
独特的な接触面の形状云々に改めた本複合宝石品類一式。
【請求項４】
請求項１等の涙液を別状、液体でなく、（予め、レジン等で有害になることなく固めた）固体として、涙保存し得るようにした（液漏れ防止用）本宝飾品類一式。
【発明の詳細な説明】
【技術分野】
【０００１】
本発明は、主に宝飾品（遺品）に関連した製造技法（各材の接合技術含む）云々に関するものである。
【背景技術】
【０００２】
上記に於ける既存の宝飾（宝石）品類の製法分野に準じる。
尚、以前に、涙保存に関連した特許（先行技術文献参照）として、主に生まれたばかりの赤ちゃんだけを対象としたものがあり、専ら、蜜蝋（ワックス）等による涙入れ容器用の接着方法が記載されているが、あいにく、当の接着剤などでは、概して、半年以上の長期にも及ぶものなら、どうしても、経年変化もしくは経年劣化など、少なからず避けられない処である・・・・云々。
【先行技術文献】
【特許文献】
【０００３】
【特許文献１】特開２００１−１９９１９６。
【非特許文献】
【０００４】
【非特許文献１】特になし。
【発明の概要】
【発明が解決しようとする課題】
【０００５】
特段、何人の良心云々が表れる程の（よもや、金額などでは計り知れない程の）かけがえのないもの（良き思い出の・・）などをいみじくも、半永久的に保存し得るような（装飾液体入りガラス容器付の）美しい宝飾品（遺品）類を普く実用化させる。
【課題を解決するための手段】
【０００６】
時に人々が、なお感動的な場面に出会う際、無意識の内にも、善良なる素直な気持ちで、自ずと流れる各人の嬉し涙（の一滴々々）を予め、（持ち運び可能な携帯用涙採取キット等で）採取しつつ、順次、それを殺菌処理の上、非尋常的にも有効的な接合方法（常温接合処理等）でもって、極力、劣化しないよう、完全密封したクリスタル・ガラス瓶等に、事前に  （プチ・スノーグローブ風の混合液として）  注入しつつ、尚且つ、独特形状の（無色透明又は半透明色の宝石を含めた複合）宝飾品類の内部などに嵌め込みながら（ちりばめながら）、是を長期保存し得るようにすればよい・・・・云々。
【発明の効果】
【０００７】
特に本品を（生前中の愛用者方が故人となった際の）貴重な遺品として見なした場合、既存の高価な遺灰ダイヤモンド等々より、なお安価で（その大切な遺族方等に）提供し得るようになる・・・・云々。
【発明を実施するための最良の形態】
【０００８】
追って、手続補正にて表記する。
【実施例】
【０００９】
追って、手続補正にて表記する。
【図面の簡単な説明】
【００１０】
【図１】追って提示。
【図２】追って提示。
【図３】追って提示。
【図４】追って提示。
【図５】追って提示。
【図６】追って提示。
【図７】追って提示。
【図８】追って提示。
【図９】追って提示。
【図１０】追って提示。＊追って、図１１等々を提示する。
【図１】
2018016065.tif 000003
【図２】
2018016065.tif 000004
【図３】
2018016065.tif 000005
【図４】
2018016065.tif 000006
【図５】
2018016065.tif 000007
【図６】
2018016065.tif 000008
【図７】
2018016065.tif 000009
【図８】
2018016065.tif 000010
【図９】
2018016065.tif 000011
【図１０】
2018016065.tif 000012
【手続補正書】
【提出日】平成29年2月20日(2017.2.20)
【手続補正１】
【補正対象書類名】明細書
【補正対象項目名】００１０
【補正方法】変更
【補正の内容】
【００１０】
【図１】図１は、本品の一形態を示す平面図である。
【図２】図２は、本品の一形態を示す正面図である。＊追って、図３等々を提示する。
【手続補正書】
【提出日】平成29年12月13日(2017.12.13)
【手続補正１】
【補正対象書類名】明細書
【補正対象項目名】００１０
【補正方法】変更
【補正の内容】
【００１０】
【図１】図１は、本宝石類（ペアシェイプ・ティアドロップ・カット石）の様相を表した平面図である。
【図２】図２は、本宝石類（ペアシェイプ・ティアドロップ・カット石）の様相を表した正面図である。
【図３】図３は、本宝石類（ラウンド・ブリリアント・カット石等）の様相を表した平面図である。
【図４】図４は、本宝石類（ラウンド・ブリリアント・カット石等）の様相を表した正面図である。
【図５】図５は、本宝石類（カボションタイプ）の様相を表した平面図である。
【図６】図６は、本宝石類（カボションタイプ）の様相を表した正面（断面）図である。
【図７】図７は、本宝飾品の一種の局部辺りを示した正面（断面）図である。
【図８】図８は、本宝石類の（台座付ペアシェイプ・カット石）の特種構造等を示した各参考図である。
【図９】図９は、本宝石類（ティアドロップ・カット石）の実物の様相を表した各見本図である。
【図１０】図１０は、本宝飾品類（オーダーメイド）の実物の一例を示した（完成）見本図である。